(57)【要約】      （修正有）【課題】内部に収納される物品が確実に保護されるとともに、物流段階の途中で外装箱の姿勢が変化した場合においても、内部に収納された物品が正しい姿勢を維持するようにした包装装置を提供する。【解決手段】筒状をなすファイバドラム（本体部１１、中間の胴１２、蓋体１３）内に物品を収納し、上記ファイバドラムの両端のリング状をなすリブに係合される円弧状の溝を有する直方体状の緩衝体３５を上記ファイバドラムの軸線方向の両端に装着し、この状態で底板５４と蓋体５７とから成る直方体状をなす包装箱内に収納し、上記ファイバドラムが緩衝体３５を介して上記包装箱内で回転可能であり、底板５４の補助板（長辺側）５５の開口６１と蓋体５７の側板（長辺側）５８の開口６２とを係止具によって係止して結合する。【選択図】図１１
2005132385.tif 000002
【特許請求の範囲】
【請求項１】
筒状をなすファイバドラム内に物品を収納するとともに、前記筒状のファイバドラムの軸線方向の両端に直方体状の緩衝体を取付け、該緩衝体を介して前記ファイバドラムを直方体状をなす包装箱に収納することを特徴とする包装装置。
【請求項２】
前記ファイバドラムが円筒状をなすとともに、蓋体の周縁部と底部の周縁部とにそれぞれリング状をなすリブを有し、前記緩衝体には前記リブを受入れる円弧状の溝が形成され、前記ファイバドラムが前記緩衝体を介して前記包装箱内で回転可能なことを特徴とする請求項１に記載の包装装置。
【請求項３】
前記包装箱内において前記ファイバドラムはその軸線がほぼ水平な姿勢で収納され、前記軸線に対して下側に重心が位置するように前記ファイバドラム内に物品を収納することを特徴とする請求項１に記載の包装装置。
【請求項４】
前記ファイバドラム内においてその軸線方向の一端側または両端側に緩衝部材が配されるとともに、一端側または両端側が前記緩衝部材によって緩衝されるように物品が前記ファイバドラム内に収納されることを特徴とする請求項１に記載の包装装置。
【請求項５】
物品が布で包まれた状態で内側の個装箱に収納されるとともに、該個装箱が前記ファイバドラム内に収納されることを特徴とする請求項１に記載の包装装置。
【請求項６】
前記物品を収納した個装箱と一緒に付属品を入れた個装箱とカバーを包装した包装体とが前記ファイバドラム内に一緒に収納されることを特徴とする請求項１に記載の包装装置。
【請求項７】
軸線方向の両端に直方体状の前記緩衝体を取付けたファイバドラムを包装箱の底板上に載置し、前記底板の４辺に連設されている補助板を上から装着される蓋体の側板と重合わせ、前記蓋体の側板の開口と前記底板の補助板の開口とを挿通する係止具によって係止することを特徴とする請求項１に記載の包装装置。
【請求項８】
前記蓋体の４辺の側板の内の対向する一対の側板を前記底板の補助板の外側に重合わせるとともに、前記蓋体の他の一対の側板を前記底板の補助板の内側に重合わせることを特徴とする請求項７に記載の包装装置。
【発明の詳細な説明】
【技術分野】
【０００１】
本発明は包装装置に係り、とくに筒状をなすファイバドラムを用いた包装装置に関する。
【背景技術】
【０００２】
特開平７−６１４３８号公報、特開平７−９６９２９号公報、特開平９−２８６４３５号公報、特開平９−３０１３６９号公報、特開２０００−１５９２１５号公報、特開２００１−２７０５１３号公報等に開示されているように、板紙によって筒状になし、底部を底板によって閉塞するとともに、上部開口を開閉自在に覆うように蓋体を取付けたファイバドラムが物品を収納して持運ぶための収納用容器として用いられている。
【０００３】
ところが従来のファイバドラムは、主に粉体や粒体等を充填するための包装用容器として用いられており、電子機器や精密機器等の包装手段としては利用されていない。ところが電子機器や精密機器のための包装装置は高い衝撃吸収性を要するとともに、物品を確実に保護した状態で包装する必要があり、とくに高級な電子機器や精密機器の場合にはこの要請が強い。
【０００４】
また物流段階の途中で、包装箱を上下逆様にする等の荷扱いを受けると、内部の物品が不測の損傷を受ける可能性がある。従って適正な姿勢に包装箱が維持されない場合であっても、内部の物品が安定に保持されるようにすることが好ましい。
【０００５】
【特許文献１】特開平７−６１４３８号公報
【特許文献２】特開平７−９６９２９号公報
【特許文献３】特開平９−２８６４３５号公報
【特許文献４】特開平９−３０１３６９号公報
【特許文献５】特開２０００−１５９２１５号公報
【特許文献６】特開２００１−２７０５１３号公報
【発明の開示】
【発明が解決しようとする課題】
【０００６】
本願発明の課題は、ファイバドラムを用いて電子機器や精密機器等を包装するのに用いて好適な包装装置を提供することである。
【０００７】
本願発明の別の課題は、内部に収納された物品を衝撃や外力から確実に保持するようにした包装装置を提供することである。
【０００８】
本願発明のさらに別の課題は、物流段階において包装箱の姿勢を上下逆様にした場合においても、内部の物品が正しい姿勢を維持するようにした包装装置を提供することである。
【０００９】
本願発明の上記の課題および別の課題は、以下に述べる発明の技術思想および実施の形態によって明らかにされる。
【課題を解決するための手段】
【００１０】
本願の主要な発明は、筒状をなすファイバドラム内に物品を収納するとともに、前記筒状のファイバドラムの軸線方向の両端に直方体状の緩衝体を取付け、該緩衝体を介して前記ファイバドラムを直方体状をなす包装箱に収納することを特徴とする包装装置に関するものである。
【００１１】
ここで前記ファイバドラムが円筒状をなすとともに、蓋体の周縁部と底部の周縁部とにそれぞれリング状をなすリブを有し、前記緩衝体には前記リブを受入れる円弧状の溝が形成され、前記ファイバドラムが前記緩衝体を介して前記包装箱内で回転可能なことが好ましい。また前記包装箱内において前記ファイバドラムはその軸線がほぼ水平な姿勢で収納され、前記軸線に対して下側に重心が位置するように前記ファイバドラム内に物品を収納することが好ましい。
【００１２】
また前記ファイバドラム内においてその軸線方向の一端側または両端側に緩衝部材が配されるとともに、一端側または両端側が前記緩衝部材によって緩衝されるように物品が前記ファイバドラム内に収納されることが好ましい。また物品が布で包まれた状態で内側の個装箱に収納されるとともに、該個装箱が前記ファイバドラム内に収納されることが好ましい。また前記物品を収納した個装箱と一緒に付属品を入れた個装箱とカバーを包装した包装体とが前記ファイバドラム内に一緒に収納されることが好ましい。
【００１３】
また軸線方向の両端に直方体状の前記緩衝体を取付けたファイバドラムを包装箱の底板上に載置し、前記底板の４辺に連設されている補助板を上から装着される蓋体の側板と重合わせ、前記蓋体の側板の開口と前記底板の補助板の開口とを挿通する係止具によって係止することが好ましい。また前記蓋体の４辺の側板の内の対向する一対の側板を前記底板の補助板の外側に重合わせるとともに、前記蓋体の他の一対の側板を前記底板の補助板の内側に重合わせることが好ましい。
【発明の効果】
【００１４】
本願の主要な発明は、筒状をなすファイバドラム内に物品を収納するとともに、筒状のファイバドラムの軸線方向の両端に直方体状の緩衝体を取付け、該緩衝体を介してファイバドラムを直方体状をなす包装箱に収納するようにしたものである。
【００１５】
従ってこのような包装装置によれば、物品はファイバドラムに収納されるとともに、このファイバドラムがその両端の緩衝体を介して直方体状をなす包装箱内に収納されるようになり、これによって物品の保護がより完全に行なわれることになる。
【発明を実施するための最良の形態】
【００１６】
以下本願発明を図示の実施の形態によって説明する。図１および図２は本実施の形態の包装装置に用いられるファイバドラムの全体の構成を示すものであって、このファイバドラムはほぼ筒状をなす本体部１１と、この本体部１１の上に積重ねるようにして組合わされる中間の胴１２と、上部開口を閉塞するように組合わされる蓋体１３とから構成される。
【００１７】
まず本体部１１の構造について説明すると、図１および図２に示すように、本体部１１は板紙によって筒状に組立てたものであって、その底部開口１７が底板１６によって閉塞される。本体部１１の下端であってその内周側には紙リング１８が底板１６の下方への折曲げ部分を挟着した状態で糸１９によって縫い付けて固着される。すなわち紙リング１８によって下面が支えられるようにして固着された状態で、本体部１１の底部に底板１６が取付けられる。
【００１８】
本体部１１の上端側の上部開口２０の周縁部は縮径部２１から構成される。すなわち筒状をなす本体部１１の上端側の部分を絞り加工することによって縮径部２１が形成される。この縮径部２１は中間の胴１２の下端側の開口に嵌合されるように、外径が中間の胴１２の内径とほぼ一致している。
【００１９】
中間の胴１２の上部開口２４の周縁部は絞り加工されて縮径部２５になっている。この縮径部２５はその外径が蓋体１３の内径とほぼ一致している。従って縮径部２５が蓋体１３の内側に図２に示すように嵌合されることになる。
【００２０】
蓋体１３の上部開口を閉じるように天板２８が取付けられる。すなわち蓋体１３の内周部には紙リング２９が天板２８の上方への折曲げ部分を挟着した状態で糸３０によって縫い付けられる。なお糸３０はミシン目３１によって蓋体１３に止着される（図３参照）。
【００２１】
このようなファイバドラムは、使用される目的、あるいは収納される物品の大きさや容量に応じて、中間の胴１２の部分を複数段に重合わすことができるようになっている。ここでは中間に１個の胴１２を組合わせた状態でファイバドラムを組立てるようにしている。すなわち本体部１１の上側に中間の胴１２を組合わせ、しかも中間の胴１２の上部開口を蓋体１３によって覆うようにしている。
【００２２】
従って収納される物品の大きさや内容量を調整する場合に、中間に組合わされる胴１２の数を変更することによって対応できる。また高さが違う製品を入れる場合に、中間の胴１２の部分の数を調整したり追加するだけで高さが調整できるようになる。また中間の胴１２を付加することによって、元々短かった本体部１１を流用して軸線方向の寸法が大きな容器とすることができる。
【００２３】
次にこのようなファイバドラムから成るディスクプレーヤの包装装置について説明する。図４および図５に示すように、上記ファイバドラムの本体部１１の底部側に一対の直方体状をなす緩衝体３５を組合わせる。緩衝体３５はその上面に円弧状の溝３６が形成され、この円弧状の溝３６が上記本体部１１の底板１６の下部に突出する紙リング１８と胴の下端の部分とを受入れるようになっている。そして本体部１１の内部には下側の緩衝部材３７を挿入する。緩衝部材３７は生分解性プラスチック樹脂から成り、上方に突出する突部３８を備えている。
【００２４】
包装されるディスクプレーヤ４２は図６に示すように、まず保護布４３によって包む。そしてこの後に図７に示すように個装箱４４内に収納する。このときに個装箱４４内の所定の位置に生分解性プラスチック樹脂の緩衝部材４５を配置し、これによってディスクプレーヤ４２の緩衝保護を行なう。この後個装箱４４を蓋板４６によって閉じる。
【００２５】
図８はこのような個装箱４４に収納されたディスクプレーヤ４２をファイバドラムの本体部１１内に収納する動作を示している。すなわち本体部１１の上部開口２０を通して個装箱４４を直立するように収納する。そしてこの個装箱４４の両側には個装箱４８と包装体４９とを収納する。個装箱４８は上記ディスクプレーヤ４２の付属品等が収納された補助的な包装箱である。これに対して包装体４９は上記ディスクプレーヤ４２の透明なカバーを収納したカバーケースである。
【００２６】
次いで図９に示すように、本体部１１の上側にファイバドラムの中間の胴１２を挿入する。中間の胴１２は上記個装箱４４、４８および包装体４９を包囲するように装着する。そしてこの中間の胴１２の下端側の部分を本体部１１の縮径部２１に嵌合させる。
【００２７】
この後に上記中間の胴１２の上部開口２４に臨む個装箱４４、４８の上端および包装体４９の上面に上側の緩衝部材５０を載置する。そしてこの後にファイバドラムの蓋体１３を装着し、この蓋体１３を中間の胴１２の上端の縮径部２５に嵌合させる。これによってディスクプレーヤ４２を収納した個装箱４４と、付属品を収納した個装箱４８と、カバーを収納した包装体４９とがファイバドラム内に収納されるようになる。
【００２８】
この後に下側の緩衝体３５と同じ形状であって同一の円弧状の溝３６を有する緩衝体３５を蓋体１３の上部に装着し、この緩衝体３５の円弧状の溝３６を蓋体１３の周囲の上縁および紙リング２９を受入れて係合させる。これによって図１０に示す状態になる。
【００２９】
このように軸線方向の両端にそれぞれ一対ずつの緩衝体３５が結合されたファイバドラムを包装箱内に収納する動作を図１１〜図１３によって説明する。包装箱は底板５４と蓋体５７とから構成される。底板５４にはその長辺側の周縁部に補助板５５が回動可能に連設される。また底板５４の短辺側の周縁部には補助板５６が回動可能に連設される。これに対して蓋体５７は一対の長辺側側板５８と短辺側側板５９とを備えている。そしてとくに底板５４の長辺側補助板５５には一対の開口６１が、また蓋体５７の長辺側側板５８には一対の開口６２が形成される。
【００３０】
軸線方向の両端であって蓋体１３側の底板１６側とにそれぞれ一対ずつの直方体状をなす緩衝体３５が装着されたファイバドラムは、図１１および図１２に示すようにその軸線がほぼ水平な姿勢となるように底板５４上に載置される。このときに緩衝体３５は底板５４の短辺側の補助板５６と接するようにその内側において水平な姿勢をとるように配される。そしてその状態で上から蓋体５７が組合わされる。上記蓋体５７の底板５４に対する組合わせは、蓋体５７の長辺側側板５８が底板５４の長辺側補助板５５の内側に位置し、蓋体５７の短辺側側板５９が底板５４の短辺側補助板５６の外側に組合わされる（図１２および図１３参照）。
【００３１】
この後に上記蓋体５７側の側板５８と底板５４側の補助板５５とを係止具６５によって結合する。係止具６５は図１４および図１５に示すように、筒状部６６を備えるとともに、この筒状部６６の内側にはフランジ６７が一体に連設される。また筒状部６６の内部であって上側にはヒンジ部６８を介して回動板６９が連設されている。回動板６９は側方に直角に延びるように押え板７０を一体に備えている。
【００３２】
また上記係止具６５の筒状部６６の内側であって下側の部分には上方に突出するようにヒンジ部７１を介して回動板７２が連設され、この回動板７２に押え板７３が直角に形成される。そして押え板７３にはさらに一体に当接板７４が連設される。また当接板７４にはその下面につまみ７５が一体に形成される。
【００３３】
このような係止具６５を図１４および図１５Ａに示す姿勢で、その角筒部６６を上記底板５４の長辺側補助板５５の開口６１および蓋体５７の長辺側側板５８の開口６２を挿通させる。そしてこの後につまみ７５の部分を図１５Ｂに示すように右方に押し、下側の回動板７２をヒンジ部７１を中心として時計方向に回動させる。するとこの回動板７２に一体に連設されている当接板７４が上側の回動板６９を押圧しながら回動することになる。これによって上側の回動板６９に連設されている押え板７０が蓋体５７の長辺側側板５８の内側を押えるとともに、回動板７２の押え板７３に連設された当接板７４の背面側に連設されたつまみ７５が蓋体５７の長辺側側板５８の開口６２の内側を押えるようになる。またこのときに下側の押え板７３に連設されたつまみ７５が上方に回動板６９が戻るのを阻止するように押える。
【００３４】
従ってこのような係止具６５の上記の係止動作によって、底板５４の長辺側補助板５５と蓋体５７の長辺側側板５８とが互いに重合わされるように結合されて係止されるようになる。なお底板５４の短辺側補助板５６は図１２に示すように、蓋体５７の短辺側側板５９とファイバドラムの両端に設けられている緩衝体３５との間に挟着されて固定される。
【００３５】
また上記係止具６５による上述の係止動作とは逆の操作を行なうようにし、つまみ７５を手前側に引張ることによって、上記の係止具６５による係止が解除され、これによって底板５４の長辺側補助板５５と蓋体５７の長辺側側板５８との係合が解除され、蓋体５７は底板５４から分離されることになる。
【００３６】
このような包装装置によると、ディスクプレーヤ４２は保護布４３、個装箱４４、緩衝部材４５、緩衝部材３７、５０、ファイバドラム、緩衝体３５、および底板５４と蓋体５７とから成る外装箱によって包装されることになり、何重にも包装されるとともに、より完全な緩衝効果が期待できるようになる。従ってディスクプレーヤ４２の物流段階における保護を確実に行なうことが可能になる。また上記ディスクプレーヤ４２を包んでいる保護布４３については、ディスクプレーヤ４２の上を覆う保護カバーのケースを覆う保護布として利用することが可能である。
【００３７】
またこのような包装装置は図１６に示すように、物流段階においてこの外装箱がその姿勢を変化した場合においても、内部のファイバドラムの回転によって正しい姿勢に復元できる特徴を有している。すなわち緩衝体３５の円弧状の溝３６がこのファイバドラムの両端の紙リング１８、２９から成る突部を受入れるとともに、この紙リング１８、２９が緩衝体３５の円弧状の溝３６上を移動することによってファイバドラムが底板５４と蓋体５７とから成る包装箱内で回転可能になる。
【００３８】
従って図１６に示すようにディスクプレーヤ４２を収納した個装箱４４の下側に配される付属品を収納した個装箱４８の部分の重量を大きくしておき、これによってファイバドラムの重心をこのファイバドラムの中心軸線に対して一方に偏倚させると、偏倚した重心の位置が常に下側になるようにファイバドラムが包装箱内において緩衝体３５の円弧状の溝３６に沿って回動移動することになり、このためにファイバドラムに収納されている個装箱４４内のディスクプレーヤ４２は常にその上下方向の向きを正しい姿勢に維持することが可能になる。
【００３９】
以上本願発明を図示の実施の形態によって説明したが、本願発明は上記実施の形態によって限定されることなく、本願に含まれる発明の技術的思想の範囲内において各種の変更が可能である。例えば上記実施の形態はＣＤプレーヤの包装に関するものであるが、本願発明はその他の各種の電子機器や精密機器の包装に適用することができる。
【産業上の利用可能性】
【００４０】
本願発明は各種の物品を緩衝した状態で物流に供するための包装装置として広く利用可能である。
【図面の簡単な説明】
【００４１】
【図１】ファイバドラムの分解斜視図である。
【００４２】
【図２】ファイバドラムの縦断面図である。
【００４３】
【図３】ファイバドラムの蓋体の天板の取付け構造を示す要部斜視図である。
【００４４】
【図４】ファイバドラムの本体部に対する緩衝体および緩衝部材の取付けを示す斜視図である。
【００４５】
【図５】緩衝体および緩衝部材が取付けられたファイバドラムの平面図である。
【００４６】
【図６】保護布によるディスクプレーヤの保護の動作を示す斜視図である。
【００４７】
【図７】個装箱に対するディスクプレーヤの収納動作を示す斜視図である。
【００４８】
【図８】ファイバドラムの本体部に対する個装箱および包装体の収納動作を示す外観斜視図である。
【００４９】
【図９】ファイバドラムに対する梱包の状態を示す分解斜視図である。
【００５０】
【図１０】個装箱および包装体を収納して両端に緩衝体を取付けたファイバドラムの外観斜視図である。
【００５１】
【図１１】外装箱内へのファイバドラムの収納動作を示す分解斜視図である。
【００５２】
【図１２】同縦断面図である。
【００５３】
【図１３】図１２におけるＡ〜Ａ線断面図およびＢ〜Ｂ線断面図である。
【００５４】
【図１４】係止具の外観斜視図である。
【００５５】
【図１５】係止具による係止動作を示す縦断面図である。
【００５６】
【図１６】包装箱内におけるファイバドラムの回転の動作を示す要部断面図である。
【符号の説明】
【００５７】
１１‥‥本体部、１２‥‥中間の胴、１３‥‥蓋体、１６‥‥底板、１７‥‥底部開口、１８‥‥紙リング、１９‥‥糸、２０‥‥上部開口、２１‥‥縮径部、２４‥‥上部開口、２５‥‥縮径部、２８‥‥天板、２９‥‥紙リング、３０‥‥糸、３１‥‥ミシン目、３５‥‥緩衝体、３６‥‥円弧状の溝、３７‥‥緩衝部材（下側）、３８‥‥突部、４２‥‥ディスクプレーヤ、４３‥‥保護布、４４‥‥個装箱、４５‥‥緩衝部材、４６‥‥蓋板、４８‥‥個装箱、４９‥‥包装体（カバーケース）、５０‥‥緩衝部材（上側）、５４‥‥底板、５５‥‥補助板（長辺側）、５６‥‥補助板（短辺側）、５７‥‥蓋体、５８‥‥側板（長辺側）、５９‥‥側板（短辺側）、６１、６２‥‥開口、６５‥‥係止具、６６‥‥角筒部、６７‥‥フランジ、６８‥‥ヒンジ部、６９‥‥回動板、７０‥‥押え板、７１‥‥ヒンジ部、７２‥‥回動板、７３‥‥押え板、７４‥‥当接板、７５‥‥つまみ
【図１】
2005132385.tif 000003
【図２】
2005132385.tif 000004
【図３】
2005132385.tif 000005
【図４】
2005132385.tif 000006
【図５】
2005132385.tif 000007
【図６】
2005132385.tif 000008
【図７】
2005132385.tif 000009
【図８】
2005132385.tif 000010
【図９】
2005132385.tif 000011
【図１０】
2005132385.tif 000012
【図１１】
2005132385.tif 000013
【図１２】
2005132385.tif 000014
【図１３】
2005132385.tif 000015
【図１４】
2005132385.tif 000016
【図１５】
2005132385.tif 000017
【図１６】
2005132385.tif 000018